(57)【特許請求の範囲】
【請求項１】
流入口（２）、流出口（３）とさらに前記流出口（３）の下方に排水口（４）を持ち、前記排水口（４）の下流側に先端に開口部（８）とそれに隣接する大径部（９）および前方下端部が開口した排水路（１０）を有する排水シリンダ（１１）を横向きに形成した弁箱（１）に、下方部に入水口（１３）とその下流側上方に上向きの逆止弁座（１４）と前記逆止弁座（１４）を開閉する逆止弁（１７）を設け、その下流側に外周に前記開口部（８）の内径よりやや大径でかつ挿入方向のみがテーパー状の３個の係止部（１８）と回り止め部（１９）を設けた前壁（１５）により先端部が閉じられ、前記逆止弁座（１４）の下流側上方から前記前壁（１５）に沿った下向きの出水口（１６）を前記弁箱（１）の前記排水路（１０）にそれぞれ連通するように設け、前記係止部（１８）の先端が前記開口部（８）から離脱して前記大径部（９）に、かつ前記回り止め部（１９）を前記排水路（１０）に位置してなる樹脂製の逆止カートリッジ（１２）を備えた不凍給水栓。
【発明の詳細な説明】
【０００１】
【発明の属する技術分野】
本発明は、寒冷地で土中に埋設されて使用される不凍給水栓に関し、特に、土中の汚水が弁箱内に入り込まないようにしている。
【０００２】
【従来の技術】
一般に不凍給水栓は、弁箱が土中に埋設して使用されるため、排水口の先端に逆止弁装置を接続し、管内の水は排水口から地中に排出されるが、土中の汚水が弁箱内に入り込まないよう、逆止弁装置を接続する。
【０００３】
図３にその１実施例を示すが、弁箱１の排水口４に、紙面と直角方向に、Ｌ字型の本体Ａ、本体Ａの上端に形成された弁座Ｂを閉塞する球弁Ｃ、本体の上端に接続され、下端部に排水路ＤをもうけたキャップＥからなる逆止弁装置Ｆをねじ接続している。紙面と直角方向にもうけているのは、ねじ接続する際、取付口と干渉するからである。
【０００４】
【発明が解決しようとする課題】
しかし、輸送中あるいは埋設時の破損を考慮すると、一定の強度が必要となり、本体Ａ、キャップＥは金属で形成されるのが普通であり、材料費、ねじを形成する加工費、垂直位置にねじ込む組立費など、どうしてもコストがかさむという欠点があった。また、弁箱１に逆止弁装置Ｆをねじ接続するため、図３の場合のようにどうしても取付位置が制限され、自由な設計が困難になるという不便さもあった。
【０００５】
そのため本発明においては、コストが非常に安く、破損せず、取付位置を選ばない逆止弁装置を有する不凍給水栓を提供することを目的とする。
【０００６】
【課題を解決するための手段】
上記課題解決のため本発明の不凍給水栓は、流入口（２）、流出口（３）とさらに前記流出口（３）の下方に排水口（４）を持ち、前記排水口（４）の下流側に先端に開口部（８）とそれに隣接する大径部（９）および前方下端部が開口した排水路（１０）を有する排水シリンダ（１１）を横向きに形成した弁箱（１）に、下方部に入水口（１３）とその下流側上方に上向きの逆止弁座（１４）と前記逆止弁座（１４）を開閉する逆止弁（１７）を設け、その下流側に外周に前記開口部（８）の内径よりやや大径でかつ挿入方向のみがテーパー状の３個の係止部（１８）と回り止め部（１９）を設けた前壁（１５）により先端部が閉じられ、前記逆止弁座（１４）の下流側上方から前記前壁（１５）に沿った下向きの出水口（１６）を前記弁箱（１）の前記排水路（１０）にそれぞれ連通するように設け、前記係止部（１８）の先端が前記開口部（８）から離脱して前記大径部（９）に、かつ前記回り止め部（１９）を前記排水路（１０）に位置してなる樹脂製の逆止カートリッジ（１２）を備えたものである。
【０００７】
【発明の実施の形態】
以下、本発明の実施の形態を図面に基づいて詳細に説明する。図１および図１のａ−ａから見た要部外観図を示す図２において、１は地中、凍結深度以下に埋設される本発明不凍給水栓の弁箱であり、流入口２、流出口３とさらに前記流出口３の下方に排水口４を持ち、内部にシリンダ５、６、７を形成する。
【０００８】
排水口４の下流側に、先端に開口部８と、それに隣接する大径部９および前方下端部が開口した排水路１０を有する排水シリンダ１１を形成し、その中に排水シリンダ１１とほぼ同径で上端部を大きく開口した樹脂製の逆止カートリッジ１２を収容している。
【０００９】
逆止カートリッジ１２は、下方部に入水口１３を、その下流側上方に下向きの逆止弁座１４を、さらにその下流側上方から前壁１５に沿った下向きの出水口１６をそれぞれ連通させてもうけ、球状の逆止弁１７が逆止弁座１４に密着させるようにしている。さらに前壁１５の側面に挿入方向のみがテーパー状の３個の係止部１８をもうけ、その先端は開口部８よりもやや大径を有しており、弾性変形させて圧入したとき係止部１８先端が開口部８から離脱して大径部９に位置させているため、容易には逆止カートリッジ１２は排水シリンダ１１から離脱することはない。また前壁１５の下端部に排水路１０に嵌合する回り止め部１９を形成し、逆止カートリッジ１２が回転して逆止弁１７の働きを阻害することがないようにしている。
【００１０】
２０はピストンであり、シリンダ５、６、７にそれぞれ密着する３本の環状パッキン２１、２２、２３を装着している。弁箱１はパイプ２４により、ピストン２０はロッド２５により上方に延長され、それぞれ地上部の操作部本体、ハンドル（図示せず）に連結されている。
【００１１】
図は通水状態を示しており、流入口２からの水は流出口３を通って、図示しないが立上管から末端の蛇口に至っている。この時は環状パッキン２１がシリンダ５に、環状パッキン２３がシリンダ７に密着して他所への漏水はない。
【００１２】
この状態から、冬、水抜き操作をするときは、ロッド２５上端に連結されたハンドルを回転させて、ピストン２０を下降させれば良く、まず、環状パッキン２２がシリンダ６に密着して流入口２からの水を遮断し、その後で環状パッキン２３がシリンダ７から離脱し、蛇口を開けば立上管内の水は、排水口４、入水口１３、逆止弁座１４を通って逆止弁１７を上昇させ、出水口１６、排水路１０を通って地中に排出される。つまり立上管内は空になるので、凍結することはない。
【００１３】
排水が終了すれば逆止弁１７は逆止弁座１４に密着し、地中の汚水が排水口４側に逆流するのを防止している。逆止カートリッジ１２は前壁１５により先端部が閉じられ、下向きの出水口１６から下端の排水路１０に開口するようにしているが、これは、土砂等ができるだけ逆止カートリッジ１２に入り込むのを防止するためである。
【００１４】
【発明の効果】
以上のように本発明においては、排水口の下流側に隣接してもうける排水シリンダに、樹脂で射出成型した逆止カートリッジを逆止弁を挿入した状態で圧入させただけなので、材料費、ねじを形成する加工費、図３の本体ＡにキャップＥをねじ込み、さらに弁箱１に逆止弁装置Ｆを垂直位置にねじ込む組立費等で大幅なコスト低減が期待され、さらに逆止カートリッジは排水シリンダ内に完全に収容され、突出する部分がないので、輸送中あるいは埋設時、破損する心配もなく、弁箱１逆止弁装置Ｇをねじ接続する場合の、取付位置が制限され、自由な設計が困難になるという恐れもない、不凍給水栓を提供できるものである。
【図面の簡単な説明】
【図１】本発明の不凍給水栓の１実施例を示す、通水状態に於ける縦断面図である。
【図２】図１のａ−ａ方向の要部外観図である。
【図３】従来の実施例を示す縦断面図である。
【符号の説明】
１            弁箱
２ 流入口
３ 流出口
４            排水口
８            開口部
９            大径部
１０          排水路
１１          排水シリンダ
１２          逆止カートリッジ
１３          入水口
１４          逆止弁座
１５          前壁
１６          出水口
１７          逆止弁
１８          係止部
１９          回り止め部
【図１】
0003982222.tif 000002
【図２】
0003982222.tif 000003
【図３】
0003982222.tif 000004